(57)【要約】【課題】情報コードリーダを用いて、高性能な防犯システムを構築することができる技術を提供する。【解決手段】防犯システム２は、情報コードを読取可能な情報コードリーダ１０と、情報コードリーダ１０を設置可能な設置台５６を備える設置スタンド５０を有している。設置台５６は、情報コードリーダ１０に接続可能なカメラ６０と、カメラ６０の撮影範囲を照明可能な照明装置６２を有している。情報コードリーダ１０は、演算装置２０を有している。情報コードリーダ１０を設置台５６に設置すると、接続用電極１４と接続用電極５８が電気的に接続する。その結果、カメラ６０が、情報コードリー１０の演算装置２０によって制御される。【選択図】図２
2014010817.tif 000002
【特許請求の範囲】
【請求項１】
防犯システムであって、
情報コードを読取可能な情報コードリーダと、
情報コードリーダを設置可能な設置体、
を有しており、
設置体は、
情報コードリーダに接続可能な外付カメラと、
外付けカメラの撮影範囲を照明可能な照明手段、
を有しており、
情報コードリーダが、演算装置を有しており、
情報コードリーダに接続された外付カメラが、情報コードリーダの演算装置によって制御される、
防犯システム。
【請求項２】
情報コードリーダが、カメラを有しており、
外付カメラの撮影可能距離が、情報コードリーダのカメラの撮影可能距離より長い、
請求項１の防犯システム。
【請求項３】
情報コードリーダが外付カメラで撮影された画像を表示可能な表示装置を有している、
請求項１又は２の防犯システム。
【請求項４】
報知手段をさらに有しており、
情報コードリーダが、メモリを有しており、
演算装置が、外付カメラに定期的に撮影を実行させ、撮影された画像をメモリに保存し、
演算装置が、外付カメラで撮影された第１画像と、第１画像よりも前に撮影されてメモリに保存されている第２画像との間に差異がある場合に、報知手段に報知処理を実行させる、
請求項１から３のいずれか一項の防犯システム。
【請求項５】
演算装置が、外付カメラで撮影された画像をメモリに保存するときに、メモリに保存されている画像のうちの少なくとも１つをメモリから削除可能である、
請求項４の防犯システム。
【請求項６】
情報コードリーダが、外部サーバと通信可能な通信装置を有しており、
演算装置が、外付カメラに定期的に撮影を実行させ、撮影された画像を、通信装置を通じて外部サーバへ送信させる、
請求項１から５のいずれか一項の防犯システム。
【請求項７】
情報コードリーダが、外部サーバと通信可能な通信装置と、メモリを有しており、
演算装置が、外付カメラに定期的に撮影を実行させ、撮影された画像をメモリに保存し、
演算装置が、外付カメラで撮影された第１画像と、第１画像よりも前に撮影されてメモリに保存されている第２画像との間に差異がある場合に、所定データを、通信装置を通じて外部サーバへ送信させる、
請求項１から３のいずれか一項の防犯システム。
【発明の詳細な説明】
【技術分野】
【０００１】
本明細書で開示する技術は、防犯システムに関する。
【背景技術】
【０００２】
バーコードや２次元コード等の情報コードを読取可能な情報コードリーダが知られている。特許文献１には、このような情報コードリーダを防犯装置として利用する技術が開示されている。特許文献１の技術によると、情報コードリーダを防犯装置として兼用することができるため、専用の防犯装置を別途設けずに済む。従って、低コストで防犯システムを構築することができる。
【先行技術文献】
【特許文献】
【０００３】
【特許文献１】特開２００３−３２５４１号公報
【発明の概要】
【発明が解決しようとする課題】
【０００４】
情報コードリーダの読取部は、情報コードの読み取りに適した性能を有しているため、防犯目的に適さない。すなわち、特許文献１の技術は、防犯装置としての性能はそれほど高くない。本明細書は、情報コードリーダを用いて、低コストで高性能な防犯システムを構築することができる技術を提供する。
【課題を解決するための手段】
【０００５】
本明細書が開示する防犯システムは、情報コードを読取可能な情報コードリーダと、情報コードリーダを設置可能な設置体を有している。設置体は、情報コードリーダに接続可能な外付カメラと、外付けカメラの撮影範囲を照明可能な照明手段を有している。情報コードリーダが、演算装置を有している。情報コードリーダに接続された外付カメラが、情報コードリーダの演算装置によって制御される。また、情報コードリーダの演算装置を防犯システムの演算装置としても利用できるため、低コストで防犯システムを構築することができる。
【０００６】
上記の防犯システムによると、情報コードリーダに外付カメラが接続される。情報コードリーダの演算装置は、外付カメラを適切に制御することができる。したがって、防犯目的に適する特性を有する外付カメラを情報コードリーダに接続することで、防犯目的に適する画像を撮影し得る。すなわち、この防犯システムは、情報コードリーダを用いて、高性能な防犯システムを構築することができる。
【図面の簡単な説明】
【０００７】
【図１】第１実施例の防犯システム２を示す図。
【図２】第１実施例の防犯システム２の内部構成を示すブロック図。
【図３】監視処理を示すフローチャート。
【発明を実施するための形態】
【０００８】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【０００９】
（特徴１）情報コードリーダが、カメラを有していてもよい。外付カメラの撮影可能距離が、情報コードリーダのカメラの撮影可能距離より長くてもよい。
【００１０】
この構成によると、外付カメラによって撮影することにより、情報コードリーダのカメラを用いる場合に比べて、より遠方の対象物を撮影することができる。その結果、より防犯目的に適する画像を撮影し得る。
【００１１】
（特徴２）情報コードリーダが外付カメラで撮影された画像を表示可能な表示装置を有していてもよい。
【００１２】
この構成によると、防犯システムのユーザは、別途表示装置を用いることなく、外付カメラによって撮影された画像を見ることができる。
【００１３】
（特徴３）防犯システムが、報知手段をさらに有していてもよい。情報コードリーダが、メモリを有していてもよい。演算装置が、外付カメラに定期的に撮影を実行させ、撮影された画像をメモリに保存してもよい。演算装置が、外付カメラで撮影された第１画像と、第１画像よりも前に撮影されてメモリに保存されている第２画像との間に差異がある場合に、報知手段に報知処理を実行させてもよい。
【００１４】
ここで、演算装置が、外付カメラに定期的に撮影を実行させる際のインターバルは、毎回一定でなくてもよい。この構成によると、第１画像と第２画像との間に差異があると判断される場合、報知手段が報知処理を行う。報知処理が行われることによって、ユーザは、外付カメラの撮影範囲内において状況が変化したことを知ることができる。
【００１５】
（特徴４）演算装置が、外付カメラで撮影された画像をメモリに保存するときに、メモリに保存されている画像のうちの少なくとも１つをメモリから削除可能であってもよい。
【００１６】
この構成によると、メモリの容量を節約することができる。
【００１７】
（特徴５）情報コードリーダが、外部サーバと通信可能な通信装置を有していてもよい。演算装置が、外付カメラに定期的に撮影を実行させ、撮影された画像を、通信装置を通じて外部サーバへ送信させてもよい。
【００１８】
この構成によると、外部サーバにおいて、画像に対する処理や異常時における報知処理を行うことができる。
【００１９】
（特徴６）情報コードリーダが、外部サーバと通信可能な通信装置と、メモリを有していてもよい。演算装置が、外付カメラに定期的に撮影を実行させ、撮影された画像をメモリに保存してもよい。演算装置が、外付カメラで撮影された第１画像と、第１画像よりも前に撮影されてメモリに保存されている第２画像との間に差異がある場合に、所定データを、通信装置を通じて外部サーバへ送信させてもよい。
【００２０】
この構成によると、前記所定データを受信した外部サーバは、報知処理等を行うことができる。外部サーバで画像に対する処理を行う必要が無いので、外部サーバ側の負荷を低減することができる。なお、前記所定データは、第１画像や第２画像であってもよい。
【００２１】
（第１実施例）
図１に示す防犯システム２は、店舗内や倉庫内等で利用される防犯システムである。防犯システム２は、情報コードリーダ１０と、設置スタンド５０とを備える。
【００２２】
情報コードリーダ１０は、店舗や倉庫で受発注管理等に使用される情報コードリーダであって、バーコードや２次元コード等の情報コードを読取可能な情報コードリーダである。図１に示すように、情報コードリーダ１０の本体１２の表面の一部には、接続用電極１４が形成されている。
【００２３】
設置スタンド５０は、情報コードリーダ１０を設置及び保持可能な部材である。設置スタンド５０は、土台５２と、支柱５４と、設置台５６を備える。土台５２は、支柱５４及び設置台５６を支えている。支柱５４は、変形可能なフリーアームであって、その上端は設置台５６の下面に接続され、その下端は土台５２に接続されている。支柱５４を変形させることにより、設置台５６の向きや位置を自在に変化させることができる。
【００２４】
設置台５６は、情報コードリーダ１０を設置及び保持可能な台である。設置台５６は、設置された情報コードリーダ１０を保持するためのホルダ５７を備える。また、設置台５６は、設置された情報コードリーダ１０の接続用電極１４と電気的に接続可能な接続用電極５８を備える。接続用電極５８は、板ばね状の電極である。情報コードリーダ１０を設置台５６に設置し、ホルダ５７に保持させることにより、設置台５６の接続用電極５８が情報コードリーダ１０の接続用電極１４に押し付けられ、両電極１４、５８が電気的に接続する。設置台５６は、さらに、カメラ６０と、照明装置６２と、レーザ発光装置６４を備える。
【００２５】
続いて、図２のブロック図を参照して、本実施例の防犯システム２の内部構成について説明する。図２に示すように、情報コードリーダ１０は、カメラ１６と、照明装置１８と、演算装置２０と、メモリ２２と、入力装置２４と、表示装置２６と、通信装置２８と、スピーカ３０を備える。カメラ１６、照明装置１８、メモリ２２、入力装置２４、表示装置２６、通信装置２８、及び、スピーカ３０は、いずれも演算装置２０と電気的に接続されている。また、演算装置２０は、上記接続用電極１４とも電気的に接続されている。
【００２６】
カメラ１６は、紙などに表わされている情報コードを比較的近距離から撮影するためのカメラである。そのため、カメラ１６の撮影可能距離は比較的短い。照明装置１８は、カメラ１６の撮影範囲を照明する。照明装置１８は、例えばＬＥＤライトである。
【００２７】
演算装置２０は、接続されている各構成要素（カメラ１６、照明装置１８、メモリ２２、入力装置２４、表示装置２６、通信装置２８、及び、スピーカ３０）を制御する。演算装置２０は、メモリ２２に格納されているプログラムに従って、各種処理を実行する。例えば、演算装置２０は、カメラ１８で情報コードを撮影し、撮影された画像から情報を復元（デコード）することができる。メモリ２２は、各種プログラムを格納している。さらに、メモリ２２は、設置台５６のカメラ６０で撮影された画像を格納可能である。メモリ２２は、所定の最大数（例えば５個）の画像を格納可能である。
【００２８】
入力装置２４は、複数のキーによって構成される。ユーザは、入力装置２４を操作することによって、様々な指示を情報コードリーダ１０に与えることができる。表示装置２６は、様々な情報を表示するためのディスプレイである。後で説明するように、表示装置２６には、カメラ６０で撮影された画像を表示可能である。
【００２９】
通信装置２８は、図示しない外部サーバ等と無線通信を行うことが可能である。スピーカ３０は、報知音を発生させる。
【００３０】
図２に示すように、設置台５６は、カメラ６０と、照明装置６２と、レーザ発光装置６４と、バッテリ６６を備える。カメラ６０、照明装置６２、レーザ発光装置６４、バッテリ６６は、いずれも、接続用電極５８と電気的に接続されている。
【００３１】
カメラ６０は、所望の撮影対象を撮影するためのカメラである。カメラ６０の撮影可能距離は、情報コードリーダ１０のカメラ１６の撮影可能距離よりも長い。即ち、カメラ６０は、カメラ１６よりも焦点距離が長い。カメラ６０は、比較的遠距離の撮影対象を撮影することができる。カメラ６０は、防犯システム用カメラとして利用するための十分な性能を有するものである。照明装置６２は、カメラ６０の撮影範囲を照明する。照明装置６２は、例えばＬＥＤライトである。照明装置６２の照明可能距離は、情報コードリーダ１０の照明装置１８の照明可能距離よりも長い。
【００３２】
レーザ発光装置６４は、カメラ６０の撮影範囲を示すレーザを発光する。例えば、レーザは、カメラ６０の撮影範囲を示す枠状に照射される。ユーザは、照射されたレーザが示している枠を見ることによって、カメラ６０の撮影範囲を知ることができる。
【００３３】
バッテリ６６は、設置台５６の各構成要素、及び、設置台５６に設置された情報コードリーダ１０の各構成要素の電源として機能する。なお、図２では、バッテリ６６と各要素の間の配線の図示を省略している。
【００３４】
上記の通り、情報コードリーダ１０を設置台５６に設置することによって、接続用電極１４と接続用電極５８が電気的に接続する。図２では、接続用電極１４と接続用電極５８が電気的に接続している様子を示している。この結果、情報コードリーダ１０の演算装置２０と、設置台５６の各構成要素（カメラ６０、照明装置６２、レーザ発光装置６４）が電気的に接続する。これにより、設置台５６の各構成要素（カメラ６０、照明装置６２、レーザ発光装置６４）が、演算装置２０によって制御される。また、バッテリ６６が、設置台５６の各構成要素、及び、設置台５６に設置された情報コードリーダ１０の各構成要素の電源として機能する。
【００３５】
演算装置２０が実行する監視処理について、図３のフローチャートを参照して説明する。図３の監視処理は、情報コードリーダ１０が設置台５６に設置された状態で、ユーザが入力装置２４を操作して所定の監視モード開始操作を入力することによって開始される。
【００３６】
Ｓ１０では、演算装置２０は、レーザ発光装置６４からレーザを発光させて、カメラ６０の撮影範囲を示す。さらに、演算装置２０は、カメラ６０を作動させるとともに、表示装置２６にカメラ６０が撮影している画像を表示する。ユーザは、レーザによって示される撮影範囲、及び、表示装置２６に表示されている画像を見ながら、カメラ６０の撮影範囲内に所望の監視対象（例えば店舗の商品棚に陳列された商品、倉庫の出入口扉、等）が入るように、設置台５６を位置合わせすることができる。
【００３７】
次いで、Ｓ１２では、演算装置２０は、スタート操作が入力されることを監視する。ユーザは、設置台５６を所望の位置に位置合わせした後に、入力装置２４を操作して、所定のスタート操作を入力することができる。所定のスタート操作が入力されると、演算装置２０は、Ｓ１２でＹＥＳと判断し、Ｓ１４に進む。
【００３８】
Ｓ１４では、演算装置２０は、カメラ６０を作動させて撮影を実行し、撮影された画像を初期画像としてメモリ２２に格納する。なお、演算装置２０は、カメラ６０で撮影を実行する際、照明装置６２を作動させて、カメラ６０の撮影範囲を照明する。以下、本明細書では「カメラ６０が撮影を実行する」と説明する場合、同時に照明装置６２がカメラ６０の撮影範囲を照明しているものとする。
【００３９】
次いで、Ｓ１６では、演算装置２０は、所定のインターバル時間が経過することを監視する。インターバル時間は、例えば、５分である。インターバル時間が経過すると、演算装置２０は、Ｓ１６でＹＥＳと判断し、Ｓ１８に進む。
【００４０】
Ｓ１８では、演算装置２０は、カメラ６０を作動させて撮影を実行する。演算装置２０は、Ｓ１８で撮影された画像をメモリ２２に格納させる。
【００４１】
次いで、Ｓ２０では、演算装置２０は、Ｓ１８で撮影された画像と、メモリ２２内の初期画像（Ｓ１４でメモリ２２に格納された画像）との間に差異があるか否かを判断する。カメラ６０が撮影する監視対象に変化があれば、初期画像とＳ１８で撮影された画像とが異なる。その場合、演算装置２０は、Ｓ２０でＹＥＳと判断し、Ｓ２６に進む。一方、カメラ６０が撮影する監視対象に変化がなければ、演算装置２０は、Ｓ２０でＮＯと判断し、Ｓ２２に進む。
【００４２】
なお、本実施例において、２つの画像の間に差異がある場合とは、２つの画像の間に、ユーザが視認できる程度の変化があった場合を意味する。例えば、監視対象が店舗の商品棚である場合において、棚に陳列された商品の数や位置が変わるような場合である。また、例えば、監視対象が倉庫の出入口扉である場合において、閉じていた扉が開くような場合である。なお、本実施例では、ユーザが視認できない程度の小さい変化は、２つの画像の間に差異がある場合には含まない。２つの画像の間に差異があるか否かの基準は、任意に設定することができる。
【００４３】
Ｓ２２では、演算装置２０は、メモリ２２内に格納されている画像が、所定の最大数（例えば５個）であるか否かを判断する。Ｓ２２の時点で、メモリ２２内に記憶されている画像（初期画像、及び、Ｓ１８で撮影された直後の画像を含む）の数が最大数に達している場合、演算装置２０は、Ｓ２２でＹＥＳと判断し、Ｓ２４に進む。一方、Ｓ２２の時点で、メモリ２２内に記憶されている画像（初期画像、及び、Ｓ１８で撮影された直後の画像を含む）の数が所定の最大数未満の場合、演算装置２０は、Ｓ２２でＮＯと判断し、Ｓ２４の処理をスキップしてＳ１６に戻る。
【００４４】
Ｓ２４では、演算装置２０は、メモリ２２内の画像を１個削除する。具体的には、演算装置２０は、初期画像を除いたメモリ２２内の各画像のうち、撮影してから最も長い時間が経過したもの（最も古い画像）を削除する。なお、他の例では、演算装置２０は、演算装置２０は、初期画像を除いたメモリ２２内の各画像のうち、メモリ２２に格納されてから所定時間以上が経過している１個以上の画像をまとめて削除するようにすることもできる。Ｓ２４を終えると、Ｓ１６に戻る。
【００４５】
演算装置２０は、Ｓ２０でＹＥＳと判断されてＳ２６に進まない限り、Ｓ１６〜Ｓ２４の各処理を繰り返し実行する。なお、Ｓ１６〜Ｓ２４の各処理を繰り返し実行する間に、ユーザによって所定の終了操作が入力された場合、演算装置２０は、図３の監視処理を終了する。
【００４６】
一方、初期画像とＳ１８で撮影された画像とが異なる場合（Ｓ２０でＹＥＳの場合）、Ｓ２６では、演算装置２０は、報知処理を実行する。具体的には、Ｓ２６では、演算装置２０は、スピーカ３０を作動させて報知音を発生させる。報知音を聞いたユーザは、監視対象に変化があったことを知ることができる。それに加えて、Ｓ２６では、演算装置２０は、通信装置２８を通じて、図示しない外部サーバに、所定の報知信号を無線送信する。報知信号を受信した外部サーバが報知動作（例えば、報知音の発生）を行うと、外部サーバのユーザは、監視対象に変化があったことを知ることができる。Ｓ２６を終えると、演算装置２０は、図３の監視処理を終了する。
【００４７】
以上、本実施例の防犯システム２の構成及び動作について説明した。上記の通り、情報コードリーダ１０が備えるカメラ１６は、撮影可能距離が比較的短く、防犯システム用カメラとして利用するには性能が不十分である。本実施例では、情報コードリーダ１０を設置台５６に設置すると、情報コードリーダ１０の演算装置２０と設置台５６のカメラ６０とが接続される。これにより、カメラ６０を利用して所望の監視対象を適切な画像品質で撮影することができる。また、上記の通り、カメラ６０の撮影可能距離は、カメラ１６の撮影可能距離より長い。そのため、本実施例の防犯システム２では、カメラ６０を情報コードリーダ１０に接続することで、情報コードリーダ１０のカメラ１６よりも遠方の監視対象を撮影することができる。その結果、防犯目的に適する画像を撮影することができる。従って、本実施例の防犯システム２では、情報コードリーダ１０を用いて、高性能な防犯システムを構築することができる。即ち、専用の防犯装置を別途設ける必要もない。従って、低コストで防犯システムを構築することができる。
【００４８】
また、本実施例の情報コードリーダ１０は、カメラ６０で撮影された画像を表示可能な表示装置２６を有している。そのため、ユーザは、別途表示装置を用いることなく、カメラ６０によって撮影された画像を見ることができる。また、ユーザは、図３のＳ１０において、表示装置２６に表示されている画像を見ながら、カメラ６０の撮影範囲内に所望の監視対象が入るように、設置台５６を位置合わせすることもできる。
【００４９】
また、本実施例の防犯システム２では、演算装置２０が、カメラ６０に定期的に撮影を実行させ（図３のＳ１６、Ｓ１８）、撮影された画像と初期画像との間に差異がある場合（図３のＳ２０でＹＥＳ）、防犯システム２と外部サーバが報知処理を実行する（図３のＳ２６）。その結果、防犯システム２のユーザ、及び、外部サーバのユーザは、監視対象に変化があったことを知ることができる。なお、報知処理は、防犯システム２のみで行ってもよいし、外部サーバのみで行ってもよい。
【００５０】
また、本実施例の防犯システム２では、演算装置２０は、メモリ２２内に格納されている画像の数が、所定の最大数（例えば５個）に達している場合（図３のＳ２２でＹＥＳ）、メモリ２２内の画像を１個削除することができる（図３のＳ２４）。この結果、メモリ２２の容量を節約することができる。
【００５１】
本実施例のカメラ６０が「外付カメラ」の一例である。本実施例の照明装置６２及びレーザ発光装置６４が「発光手段」の一例である。本実施例のスピーカ３０が「報知手段」の一例である。図３のＳ１４で撮影される画像（初期画像）が「第１画像」の一例である。図３のＳ１８で撮影される画像が「第２画像」の一例である。
【００５２】
（第２実施例）
第２実施例について、第１実施例と異なる点を説明する。本実施例では、演算装置２０が実行する監視処理（図３参照）の内容の一部が、第１実施例と異なる。本実施例では、演算装置２０は、図３のＳ１４で撮影された画像（初期画像）を、メモリ２２に格納することなく、通信装置２８を通じて外部サーバ（図示省略）に送信する。外部サーバは、初期画像を受信すると、受信された初期画像を外部サーバの記憶装置に格納する。また、演算装置２０は、図３のＳ１８で撮影された画像も、メモリ２２に格納することなく、通信装置２８を通じて外部サーバに送信する。外部サーバは、Ｓ１８で撮影された画像を受信する毎に、受信された画像を外部サーバの記憶装置に格納する。
【００５３】
本実施例では、演算装置２０に代えて、外部サーバが、Ｓ１８で撮影された画像と初期画像が異なるか否かを判断する。初期画像とＳ１８で撮影された画像が異なる場合（即ち、監視対象に変化があった場合）、外部サーバは、報知処理を行う。例えば、外部サーバは、外部サーバの周辺に設けられたスピーカに報知音を発生させてもよい。また、外部サーバは、情報コードリーダ１０に所定の報知信号を送信してもよい。その場合、情報コードリーダ１０の演算装置２０は、通信装置２８を通じて報知信号を受信すると、スピーカ３０を作動させて報知音を発生させる。
【００５４】
本実施例によると、外部サーバにおいて、画像に対する処理や異常時における報知処理を行うことができる。
【００５５】
（第３実施例）
第３実施例について、第１実施例と異なる点を説明する。本実施例でも、演算装置２０が実行する監視処理（図３参照）の内容の一部が、第１実施例と異なる。本実施例では、演算装置２０は、初期画像とＳ１８で撮影された画像とが異なる場合（Ｓ２０でＹＥＳの場合）に、通信装置２８を通じて、Ｓ１８で撮影された画像を外部サーバに送信することができる。本実施例の外部サーバに送信される画像が、請求項における「所定データ」の一例である。外部サーバは、情報コードリーダ１０から画像を受信すると、報知処理等を行う。なお、他の例では、演算装置２０は、Ｓ１８で撮影された画像に代えて、初期画像を外部サーバに送信してもよい。
【００５６】
本実施例では、外部サーバは、情報コードリーダ１０から画像を受信する場合に、報知処理等を行うことができる。外部サーバで、画像に対する処理（図３のＳ１４〜Ｓ２４の各処理）を実行する必要がないため、外部サーバ側の負荷を低減することができる。
【００５７】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００５８】
（変形例１）  第１、第３実施例では、演算装置２０は、図３のＳ２０において、初期画像と、Ｓ１８で撮影された画像とが同一か否かを判断しているが、これに代えて、演算装置２０は、図３のＳ２０において、直前のＳ１８で撮影された画像と、その１つ前のＳ１８で撮影された画像とが同一か否かを判断してもよい。この場合、演算装置２０は、インターバル時間の間に監視対象に変化があった場合（即ち、直前のＳ１８で撮影された画像とその１つ前のＳ１８で撮影された画像とが異なる場合）に、報知処理を実行する。この変形例では、１つ前のＳ１８で撮影された画像、直前のＳ１８で撮影された画像が、それぞれ、「第１画像」、「第２画像」の一例である。本変形例では、図２のＳ２４では、演算装置２０は、初期画像を含むメモリ２２内の各画像のうち、撮影してから最も長い時間が経過したもの（最も古い画像）を削除するようにしてもよい。また、本変形例を、第２実施例に適用してもよい。
【００５９】
（変形例２）  演算装置２０がカメラ６０に撮影を実行させるためのインターバル時間（図３のＳ１６参照）は、完全に一定でなくてもよい。従って、例えば、演算装置２０は、条件に応じて、インターバル時間を変化させてもよい。この変形例も、演算装置２０がカメラ６０に「定期的に撮影を実行」させることの一例である。
【００６０】
（変形例３）  演算装置２０は、報知処理を実行する場合に、スピーカ３０に報知音を発生させることと、通信装置２８を通じて外部サーバに報知信号を送信すること、のいずれか一方のみを実行するようにしてもよい。
【００６１】
（変形例４）  上記の各実施例では、情報コードリーダ１０を設置台５６に設置することによって、接続用電極１４と接続用電極５８が電気的に接続し、情報コードリーダ１０の演算装置２０と、設置台５６の各構成要素（カメラ６０、照明装置６２、レーザ発光装置６４）が電気的に接続する。しかしながら、例えば、情報コードリーダ１０を設置台５６に設置する操作と、情報コードリーダ１０の演算装置２０と設置台５６の各構成要素（カメラ６０、照明装置６２、レーザ発光装置６４）を電気的に接続する操作は、別個に行われてもよい。
【００６２】
（変形例５）  情報コードリーダ１０は、カメラ１６に代えて、レーザ式の情報コード読取手段を備えていてもよい。
【００６３】
（変形例６）  設置台５６は、バッテリ６６に代えて、電源と接続されたコードを備えていてもよい。
【００６４】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００６５】
２     防犯システム
１０   情報コードリーダ
１２   本体
１４   接続用電極
１６   カメラ
１８   照明装置
２０   演算装置
２２   メモリ
２４   入力装置
２６   表示装置
２８   通信装置
３０   スピーカ
５０   設置スタンド
５２   土台
５４   支柱
５６   設置台
５７   ホルダ
５８   接続用電極
６０   カメラ
６２   照明装置
６４   レーザ発光装置
６６   バッテリ
【図１】
2014010817.tif 000003
【図２】
2014010817.tif 000004
【図３】
2014010817.tif 000005